(57)【要約】【課題】  表示書き換えの高速化および低消費電力化を図りながら、ＤＣバランスをとる電気泳動表示装置の駆動方法等を提供する。【解決手段】  共通電極と駆動電極との電位差に基づく書き込みパルスの印加により表示領域の表示色が制御される表示部を含む電気泳動表示装置の駆動方法。全表示領域に書き込みパルスを印加する全面書き換え工程Ｓ１と、一部の表示領域に書き込みパルスを印加する部分書き換え工程Ｓ２とを含み、部分書き換え工程が所与の回数繰り返された後に再び全面書き換え工程に戻り、部分書き換え工程は、表示部に所与の視覚表現を表示する部分書き込み工程と、部分書き込み工程の後に、所与の視覚表現を表示色を反転して表示する部分消去工程とを含み、全面書き換え工程に続く最初の部分書き込み工程は、全面書き換え工程により表示された所与の視覚表現と同じ表示色で所与の視覚表現を表示する。【選択図】図６
2011186183.tif 000002
【特許請求の範囲】
【請求項１】
共通電極が形成された共通電極層と、駆動電極が形成された駆動電極層と、前記共通電極層と前記駆動電極層との間に設けられた電気泳動表示層とを含み、前記共通電極と前記駆動電極とに挟まれた前記電気泳動表示層を表示領域とし、前記共通電極と前記駆動電極との電位差に基づく書き込みパルスが印加されることにより前記表示領域の表示色が制御される表示部を含む電気泳動表示装置の駆動方法であって、
全ての前記表示領域に前記書き込みパルスを印加する、全面書き換え工程と、
前記全面書き換え工程の後に、一部の前記表示領域に前記書き込みパルスを印加する、部分書き換え工程と、を含み、
前記部分書き換え工程が所与の条件が満たされるまで繰り返された後に、再び前記全面書き換え工程に戻り、
前記部分書き換え工程は、
前記表示部に所与の視覚表現を表示する、部分書き込み工程と、
部分書き込み工程の後に、前記所与の視覚表現を、表示色を反転して表示する、部分消去工程と、を含み、
前記全面書き換え工程に続く最初の部分書き込み工程である初回部分書き込み工程は、
前記全面書き換え工程により表示された前記所与の視覚表現と同じ表示色で、前記所与の視覚表現を表示する、電気泳動表示装置の駆動方法。
【請求項２】
請求項１に記載の電気泳動表示装置の駆動方法において、
前記全面書き換え工程は、
反転表示工程と正転表示工程とを含み、
前記反転表示工程は、
全ての前記表示領域で、続く前記正転表示工程により表示される内容を、表示色を反転して表示し、
前記正転表示工程は、
前記反転表示工程の後に、直前の部分書き込み工程により前記表示部に表示されていた内容とは異なる内容を表示する、電気泳動表示装置の駆動方法。
【請求項３】
請求項１乃至２のいずれかに記載の電気泳動表示装置の駆動方法において、
前記部分書き換え工程は、
前記駆動電極に第１の電位を入力するとともに前記共通電極に前記第１の電位と異なる第２の電位を入力する第１パルス状電圧と、前記駆動電極に前記第２の電位を入力するとともに前記共通電極に前記第１の電位を入力する第２パルス状電圧からなる前記書き込みパルスを印加し、
前記第１パルス状電圧と前記第２パルス状電圧のいずれか一方のパルス幅は、他方のパルス幅よりも狭い、電気泳動表示装置の駆動方法。
【請求項４】
請求項３に記載の電気泳動表示装置の駆動方法において、
前記全面書き換え工程は、
前記駆動電極に前記第１の電位を入力するとともに前記共通電極に前記第２の電位を入力する第３パルス状電圧と、前記駆動電極に前記第１の電位を入力するとともに前記共通電極に前記第１の電位を入力する第４パルス状電圧からなる前記書き込みパルスを印加し、
前記第３パルス状電圧と前記第４パルス状電圧のパルス幅は等しい、電気泳動表示装置の駆動方法。
【請求項５】
請求項１乃至４のいずれかに記載の電気泳動表示装置の駆動方法において、
前記部分書き換え工程は、
前記部分書き込み工程の後、かつ前記部分消去工程の前に、表示切り替えを伴う割り込み処理の要求の有無を判定する、割り込み要求判定工程を含み、
前記割り込み要求判定工程が前記割り込み処理の要求が有ると判定した場合には、直ちに前記部分消去工程を行い、
前記部分消去工程が行われた後に前記割り込み処理が実行される、電気泳動表示装置の駆動方法。
【請求項６】
電気泳動表示装置であって、
共通電極が形成された共通電極層と、駆動電極が形成された駆動電極層と、前記共通電極層と前記駆動電極層との間に設けられた電気泳動表示層とを含み、前記共通電極と前記駆動電極とに挟まれた前記電気泳動表示層を表示領域とし、前記共通電極と前記駆動電極との電位差に基づく書き込みパルスが印加されることにより前記表示領域の表示色が制御される表示部と、
前記表示部を制御する制御部と、を含み、
前記制御部は、
全ての前記表示領域に前記書き込みパルスを印加する、全面書き換え制御と、
前記全面書き換え制御の後に、一部の前記表示領域に前記書き込みパルスを印加する、部分書き換え制御と、を行い、
前記部分書き換え制御を所与の条件が満たされるまで繰り返した後に、再び前記全面書き換え制御に戻り、
前記部分書き換え制御において、
前記表示部に所与の視覚表現を表示する、部分書き込み制御と、
部分書き込み制御の後に、前記所与の視覚表現を、表示色を反転して表示する、部分消去制御と、を行い、
前記全面書き換え制御に続く最初の部分書き込み制御である初回部分書き込み制御において、
前記全面書き換え制御により表示された前記所与の視覚表現と同じ表示色で、前記所与の視覚表現を表示する、電気泳動表示装置。
【請求項７】
請求項６に記載の電気泳動表示装置において、
前記制御部は、
前記全面書き換え制御において、
反転表示制御と正転表示制御とを行い、
前記反転表示制御において、
全ての前記表示領域で、続く前記正転表示制御により表示される内容を、表示色を反転して表示し、
前記正転表示制御において、
前記反転表示制御の後に、直前の部分書き込み制御により前記表示部に表示されていた内容とは異なる内容を表示する、電気泳動表示装置。
【請求項８】
請求項６乃至７のいずれかに記載の電気泳動表示装置において、
前記制御部は、
前記部分書き換え制御において、
前記駆動電極に第１の電位を入力するとともに前記共通電極に前記第１の電位と異なる第２の電位を入力する第１パルス状電圧と、前記駆動電極に前記第２の電位を入力するとともに前記共通電極に前記第１の電位を入力する第２パルス状電圧からなる前記書き込みパルスを印加し、
前記第１パルス状電圧と前記第２パルス状電圧のいずれか一方のパルス幅は、他方のパルス幅よりも狭い、電気泳動表示装置。
【請求項９】
請求項８に記載の電気泳動表示装置において、
前記制御部は、
前記全面書き換え制御において、
前記駆動電極に前記第１の電位を入力するとともに前記共通電極に前記第２の電位を入力する第３パルス状電圧と、前記駆動電極に前記第１の電位を入力するとともに前記共通電極に前記第１の電位を入力する第４パルス状電圧からなる前記書き込みパルスを印加し、
前記第３パルス状電圧と前記第４パルス状電圧のパルス幅は等しい、電気泳動表示装置。
【請求項１０】
請求項６乃至９のいずれかに記載の電気泳動表示装置において、
前記制御部は、
前記部分書き換え制御において、
前記部分書き込み制御を行った後、かつ前記部分消去制御を行う前に、表示切り替えを伴う割り込み処理の要求の有無を判定する、割り込み要求判定制御を行い、
前記割り込み要求判定制御が前記割り込み処理の要求が有ると判定した場合には、直ちに前記部分消去制御を行い、
前記部分消去制御が行われた後に前記割り込み処理が実行される、電気泳動表示装置。
【請求項１１】
請求項６乃至１０のいずれかに記載の電気泳動表示装置を含む電子機器。
【請求項１２】
請求項６乃至１０のいずれかに記載の電気泳動表示装置を含む電子時計において、
前記表示部は、
少なくとも、時桁と分桁を含む時刻表示を行い、
前記制御部は、
前記部分書き換え制御において、
前記時刻表示の前記分桁を前記所与の視覚表現とする、電子時計。
【請求項１３】
請求項１２に記載の電子時計において、
前記制御部は、
前記初回部分書き込み制御を、前記部分消去制御を行う前の任意のタイミングで行う、電子時計。
【発明の詳細な説明】
【技術分野】
【０００１】
本発明は、電気泳動表示装置の駆動方法、電気泳動表示装置、及び電子機器等に関する。
【背景技術】
【０００２】
近年、電源を切っても画像を保持できるメモリー性を有する表示パネルが開発され、電子時計等にも使用されている。メモリー性を有する表示パネルとしては、ＥＰＤ（Electrophoretic Display）すなわち電気泳動表示装置や、メモリー性液晶表示装置等が知られている。
【０００３】
電気泳動表示装置は、視野角の広さ、コントラストの高さ、柔軟性などの優れた利点がある一方、電気泳動粒子を電界により移動させるために応答速度に限界がある。そのため、表示部の全体を描画する全面駆動だけでなく、書き換えを行う表示部の一部のみを描画する部分駆動が用いられることがある。電気泳動表示装置の用途や状況に応じて適宜部分駆動を行うことにより、書き換え時のレスポンスを早めることが可能となる。また、駆動される画素が一部であるため、部分駆動を行うことにより消費電力を抑えることもできる。
【先行技術文献】
【特許文献】
【０００４】
【特許文献１】特表２００５−５３０２０１号公報
【発明の概要】
【発明が解決しようとする課題】
【０００５】
ここで、電気泳動表示装置の制御部は、駆動電極（例えば、画素電極）および共通電極に信号（パルス）を与えることで表示部に所望の画像を表示させる。部分駆動で用いられるパルスは、全面駆動に用いられるパルスと同じ波形であってもよい。しかし、より効果的に書き換え時のレスポンスを早めようとする場合には、部分駆動専用のパルスを用いることが好ましい。
【０００６】
一方、特許文献１によると、電気泳動表示装置において電極間に印加される電界の時間平均がほぼゼロでなければ、すなわちＤＣバランスが崩れると、装置の動作寿命が短くなる恐れがある。つまり、電気泳動表示装置の長期信頼性を確保するためにはＤＣバランスをとって駆動制御を行うことを要する。
【０００７】
しかし、全面駆動と部分駆動とでパルスの波形が異なる場合などは、例えば全面駆動で生じたＤＣバランスの不均衡を部分駆動で解消しようとすると、制御部が行う計算および制御が著しく複雑になる。
【０００８】
本発明はこのような問題点に鑑みてなされたものである。本発明のいくつかの態様によれば、表示書き換えの高速化および低消費電力化を図りながら、ＤＣバランスをとる電気泳動表示装置の駆動方法、電気泳動表示装置、及び電子機器を提供することができる。
【課題を解決するための手段】
【０００９】
（１）本発明は、共通電極が形成された共通電極層と、駆動電極が形成された駆動電極層と、前記共通電極層と前記駆動電極層との間に設けられた電気泳動表示層とを含み、前記共通電極と前記駆動電極とに挟まれた前記電気泳動表示層を表示領域とし、前記共通電極と前記駆動電極との電位差に基づく書き込みパルスが印加されることにより前記表示領域の表示色が制御される表示部を含む電気泳動表示装置の駆動方法であって、全ての前記表示領域に前記書き込みパルスを印加する、全面書き換え工程と、前記全面書き換え工程の後に、一部の前記表示領域に前記書き込みパルスを印加する、部分書き換え工程と、を含み、前記部分書き換え工程が所与の条件が満たされるまで繰り返された後に、再び前記全面書き換え工程に戻り、前記部分書き換え工程は、前記表示部に所与の視覚表現を表示する、部分書き込み工程と、部分書き込み工程の後に、前記所与の視覚表現を、表示色を反転して表示する、部分消去工程と、を含み、前記全面書き換え工程に続く最初の部分書き込み工程である初回部分書き込み工程は、前記全面書き換え工程により表示された前記所与の視覚表現と同じ表示色で、前記所与の視覚表現を表示する。
【００１０】
本発明によれば、全面書き換え工程に続く部分書き換え工程において、部分書き込み工程と部分消去工程とを対にして処理を行うことで、表示書き換えの高速化および低消費電力化を図りながら、ＤＣバランスをとることができる。
【００１１】
このとき、前記全面書き換え工程に続く最初の部分書き込み工程である初回部分書き込み工程では、全面書き換え工程により表示された前記所与の視覚表現と同じ表示色で、前記所与の視覚表現を表示する。ここで、所与の視覚表現とは、文字、数字、メッセージ、画像、図形、模様、記号等のいずれか、又はこれらの組み合わせであってもよい。
【００１２】
初回部分書き込み工程は、続く部分消去工程との間でＤＣバランスをとるためだけの工程であるが、表示領域の表示に変化を与えない。よって、電気泳動表示装置の使用者に対して余計な表示を行うことなく、ＤＣバランスをとることが可能である。
【００１３】
（２）この電気泳動表示装置の駆動方法において、前記全面書き換え工程は、反転表示工程と正転表示工程とを含み、前記反転表示工程は、全ての前記表示領域で、続く前記正転表示工程により表示される内容を、表示色を反転して表示し、前記正転表示工程は、前記反転表示工程の後に、直前の部分書き込み工程により前記表示部に表示されていた内容とは異なる内容を表示してもよい。
【００１４】
本発明によれば、全面書き換え工程は、反転表示工程と正転表示工程とを含む。反転表示を行う工程を含むことで、全面書き換え工程においてＤＣバランスをとることができる。
【００１５】
（３）この電気泳動表示装置の駆動方法において、前記部分書き換え工程は、前記駆動電極に第１の電位を入力するとともに前記共通電極に前記第１の電位と異なる第２の電位を入力する第１パルス状電圧と、前記駆動電極に前記第２の電位を入力するとともに前記共通電極に前記第１の電位を入力する第２パルス状電圧からなる前記書き込みパルスを印加し、前記第１パルス状電圧と前記第２パルス状電圧のいずれか一方のパルス幅は、他方のパルス幅よりも狭くてもよい。
【００１６】
本発明によれば、部分書き換え工程において、デューティー比が５０％でない書き込みパルスを用いることによって、部分駆動の対象となる画素を所望の表示色へと変化させる時間を短縮することが可能である。本発明によれば、このような場合においても、部分書き換え工程におけるＤＣバランスをとることができる。
【００１７】
（４）この電気泳動表示装置の駆動方法において、前記全面書き換え工程は、前記駆動電極に前記第１の電位を入力するとともに前記共通電極に前記第２の電位を入力する第３パルス状電圧と、前記駆動電極に前記第１の電位を入力するとともに前記共通電極に前記第１の電位を入力する第４パルス状電圧からなる前記書き込みパルスを印加し、前記第３パルス状電圧と前記第４パルス状電圧のパルス幅は等しくてもよい。
【００１８】
本発明によれば、部分書き換え工程における書き込みパルスと、全面書き換え工程における書き込みパルスが異なる場合においても、書き換え工程毎にＤＣバランスをとることが可能である。
【００１９】
（５）この電気泳動表示装置の駆動方法において、前記部分書き換え工程は、前記部分書き込み工程の後、かつ前記部分消去工程の前に、表示切り替えを伴う割り込み処理の要求の有無を判定する、割り込み要求判定工程を含み、前記割り込み要求判定工程が前記割り込み処理の要求が有ると判定した場合には、直ちに前記部分消去工程を行い、前記部分消去工程が行われた後に前記割り込み処理が実行されてもよい。
【００２０】
本発明によれば、部分書き換え工程において表示切り替えを伴う割り込み処理の要求があった場合、直ちに部分消去工程を行い、その後に割り込み処理が実行されることでＤＣバランスをとることが可能である。
【００２１】
（６）本発明は、電気泳動表示装置であって、共通電極が形成された共通電極層と、駆動電極が形成された駆動電極層と、前記共通電極層と前記駆動電極層との間に設けられた電気泳動表示層とを含み、前記共通電極と前記駆動電極とに挟まれた前記電気泳動表示層を表示領域とし、前記共通電極と前記駆動電極との電位差に基づく書き込みパルスが印加されることにより前記表示領域の表示色が制御される表示部と、前記表示部を制御する制御部と、を含み、前記制御部は、全ての前記表示領域に前記書き込みパルスを印加する、全面書き換え制御と、前記全面書き換え制御の後に、一部の前記表示領域に前記書き込みパルスを印加する、部分書き換え制御と、を行い、前記部分書き換え制御を所与の条件が満たされるまで繰り返した後に、再び前記全面書き換え制御に戻り、前記部分書き換え制御において、前記表示部に所与の視覚表現を表示する、部分書き込み制御と、部分書き込み制御の後に、前記所与の視覚表現を、表示色を反転して表示する、部分消去制御と、を行い、前記全面書き換え制御に続く最初の部分書き込み制御である初回部分書き込み制御において、前記全面書き換え制御により表示された前記所与の視覚表現と同じ表示色で、前記所与の視覚表現を表示する。
【００２２】
本発明によれば、全面書き換え制御に続く部分書き換え制御において、部分書き込み制御と部分消去制御とを対にして行うことで、表示書き換えの高速化および低消費電力化を図りながら、ＤＣバランスをとることができる。
【００２３】
このとき、前記全面書き換え制御に続く最初の部分書き込み制御である初回部分書き込み制御は、全面書き換え制御により表示された前記所与の視覚表現と同じ表示色で、前記所与の視覚表現を表示する。初回部分書き込み制御は、続く部分消去制御との間でＤＣバランスをとるためだけの制御であるが、表示領域の表示に変化を与えない。よって、電気泳動表示装置の使用者に対して余計な表示を行うことなく、ＤＣバランスをとることが可能である。
【００２４】
（７）この電気泳動表示装置において、前記制御部は、前記全面書き換え制御において、反転表示制御と正転表示制御とを行い、前記反転表示制御において、全ての前記表示領域で、続く前記正転表示制御により表示される内容を、表示色を反転して表示し、前記正転表示制御において、前記反転表示制御の後に、直前の部分書き込み制御により前記表示部に表示されていた内容とは異なる内容を表示してもよい。
【００２５】
本発明によれば、全面書き換え制御は、反転表示制御と正転表示制御とを含む。反転表示を行う制御を含むことで、全面書き換え制御においてＤＣバランスをとることができる。
【００２６】
（８）この電気泳動表示装置において、前記制御部は、前記部分書き換え制御において、前記駆動電極に第１の電位を入力するとともに前記共通電極に前記第１の電位と異なる第２の電位を入力する第１パルス状電圧と、前記駆動電極に前記第２の電位を入力するとともに前記共通電極に前記第１の電位を入力する第２パルス状電圧からなる前記書き込みパルスを印加し、前記第１パルス状電圧と前記第２パルス状電圧のいずれか一方のパルス幅は、他方のパルス幅よりも狭くてもよい。
【００２７】
本発明によれば、部分書き換え制御において、デューティー比が５０％でない書き込みパルスを用いることによって、部分駆動の対象となる画素を所望の表示色へと変化させる時間を短縮することが可能である。本発明によれば、このような場合においても、部分書き換え制御におけるＤＣバランスをとることができる。
【００２８】
（９）この電気泳動表示装置において、前記制御部は、前記全面書き換え制御において、前記駆動電極に前記第１の電位を入力するとともに前記共通電極に前記第２の電位を入力する第３パルス状電圧と、前記駆動電極に前記第１の電位を入力するとともに前記共通電極に前記第１の電位を入力する第４パルス状電圧からなる前記書き込みパルスを印加し、前記第３パルス状電圧と前記第４パルス状電圧のパルス幅は等しくてもよい。
【００２９】
本発明によれば、部分書き換え制御における書き込みパルスと、全面書き換え制御における書き込みパルスが異なる場合においても、書き換え制御毎にＤＣバランスをとることが可能である。
【００３０】
（１０）この電気泳動表示装置において、前記制御部は、前記部分書き換え制御において、前記部分書き込み制御を行った後、かつ前記部分消去制御を行う前に、表示切り替えを伴う割り込み処理の要求の有無を判定する、割り込み要求判定制御を行い、前記割り込み要求判定制御が前記割り込み処理の要求が有ると判定した場合には、直ちに前記部分消去制御を行い、前記部分消去制御が行われた後に前記割り込み処理が実行されてもよい。
【００３１】
本発明によれば、部分書き換え制御において表示切り替えを伴う割り込み処理の要求があった場合、直ちに部分消去制御を行い、その後に割り込み処理が実行されることでＤＣバランスをとることが可能である。
【００３２】
（１１）本発明は、前記電気泳動表示装置を含む電子機器であってもよい。
【００３３】
本発明によれば、表示書き換えの高速化および低消費電力化を図りながら、ＤＣバランスをとる電気泳動表示装置を含む電子機器を提供できる。ＤＣバランスがとられることにより、この電子機器は長期信頼性を有する。
【００３４】
（１２）本発明は、前記電気泳動表示装置を含む電子時計であって、前記表示部は、少なくとも、時桁と分桁を含む時刻表示を行い、前記制御部は、前記部分書き換え制御において、前記時刻表示の前記分桁を前記所与の視覚表現としてもよい。
【００３５】
本発明によれば、制御部は、表示が１分おきに変化する電子時計の分桁表示を対象として部分書き換え制御を行う。よって、時刻表示の更新が高速で、消費電力が少なく、長期信頼性を有する電子時計を提供することができる。
【００３６】
（１３）この電子時計において、前記制御部は、
前記初回部分書き込み制御を、前記部分消去制御を行う前の任意のタイミングで行ってもよい。
【００３７】
本発明によれば、初回部分書き込み制御を固定されたタイミングで行う必要がないので、制御部に負担をかけることなく、ＤＣバランスのとれた電子時計を実現できる。
【図面の簡単な説明】
【００３８】
【図１】第１実施形態における電気泳動表示装置のブロック図。
【図２】第１実施形態における電気泳動表示装置の画素の構成例を示す図。
【図３】図３（Ａ）は電気泳動素子の構成例を示す図。図３（Ｂ）、図３（Ｃ）は電気泳動素子の動作の説明図。
【図４】図４（Ａ）は第１実施形態における全面書き換え時の波形図。図４（Ｂ）は第１実施形態における全面書き換え時の表示色の変化の概略を示す図。
【図５】図５（Ａ）は第１実施形態における部分書き換え時の波形図。図５（Ｂ）は第１実施形態における部分書き換え時の表示色の変化の概略を示す図。
【図６】第１実施形態における電気泳動表示装置の駆動方法のフローチャート。
【図７】図７（Ａ）〜図７（Ｂ）は図６のサブルーチンのフローチャート。
【図８】第１実施形態における波形図。
【図９】図９（Ａ）〜図９（Ｄ）は、第１実施形態における表示例を示す図、およびＹ−Ｙ線に沿って切断された断面図。
【図１０】図１０は第１実施形態の具体例における図６のサブルーチン（部分書き換え工程）のフローチャート。
【図１１】図１１（Ａ）〜図１１（Ｊ）は第１実施形態の具体例における表示例を示す図。
【図１２】図１２（Ａ）〜図１２（Ｊ）は従来例における表示例を示す図。
【図１３】図１３は第１実施形態の別の具体例における図６のサブルーチン（部分書き換え工程）のフローチャート。
【図１４】図１４（Ａ）〜図１４（Ｈ）は第１実施形態の別の具体例における表示例を示す図。
【図１５】図１５（Ａ）は電子機器の一例である腕時計の図、図１５（Ｂ）は電子機器の一例である電子ペーパーの図。
【発明を実施するための形態】
【００３９】
以下、本発明の実施形態について図面を参照して説明する。なお、具体例や適用例の説明において、第１実施形態と同様の構成については、同一符号を付し、説明を省略する。
【００４０】
１．第１実施形態
本発明の第１実施形態について図１〜図９を参照して説明する。
【００４１】
１．１．電気泳動表示装置の構成
図１は、本実施形態に係るアクティブマトリックス駆動方式の電気泳動表示装置１００のブロック図である。
【００４２】
電気泳動表示装置１００は、複数の画素４０が配列された表示部５を含む。制御部６は表示部５を制御する。制御部６は、走査線駆動回路６１、データ線駆動回路６２、コントローラー６３、共通電源変調回路６４を含む。
【００４３】
走査線駆動回路６１、データ線駆動回路６２，共通電源変調回路６４は、それぞれコントローラー６３と接続されている。コントローラー６３は図外から供給される画像信号や同期信号に基づいて、これらを総合的に制御する。画像信号には、図外の計時部から供給される時刻情報に基づく時刻表示が含まれていてもよい。なお、コントローラー６３は、記憶部１６０を含んでいてもよい。記憶部１６０は、ＳＲＡＭ、ＤＲＡＭ、ＥＥＰＲＯＭ、その他のメモリーであってもよいし、一部にＲＯＭを含んでもよい。記憶部１６０は、表示部５に表示させる画像情報を記憶していてもよい。また、記憶部１６０は、駆動パルステーブルを記憶していてもよい。このとき、コントローラー６３は、駆動パルステーブルに基づいて共通電源変調回路６４等に対する制御信号を出力することができる。また、コントローラー６３は、ＣＰＵを含んでいてもよい。このとき、記憶部１６０はＣＰＵが用いる駆動制御用プログラム等を記憶していてもよい。
【００４４】
表示部５は制御部６の制御に従って表示を行う。例えば、表示部５は現在時刻を１０：０８のように表示する。表示部５には、走査線駆動回路６１から延びる複数の走査線６６と、データ線駆動回路６２から延びる複数のデータ線６８とが形成されており、これらの交差位置に対応して画素４０が設けられている。
【００４５】
走査線駆動回路６１は、ｍ本の走査線６６（Ｙ１、Ｙ２、…、Ｙｍ）により各画素４０に接続されている。走査線駆動回路６１は、コントローラー６３の制御に従って１行目からｍ行目までの走査線６６を順次選択することで、画素４０に設けられた駆動用ＴＦＴ４１（図２参照）のオンタイミングを規定する選択信号を供給する。
【００４６】
データ線駆動回路６２は、ｎ本のデータ線６８（Ｘ１、Ｘ２、…、Ｘｎ）により各画素４０に接続されている。データ線駆動回路６２は、コントローラー６３の制御に従って、画素４０のそれぞれに対応する１ビットの画像データを規定する画像信号を画素４０に供給する。なお、本実施形態では、画素データ「０」を規定する場合には、ローレベルの画像信号を画素４０に供給し、画像データ「１」を規定する場合には、ハイレベルの画像信号を画素４０に供給するものとする。
【００４７】
表示部５には、また、共通電源変調回路６４から延びる低電位電源線４９（Ｖｓｓ）、高電位電源線５０（Ｖｄｄ）、共通電極配線５５（Ｖｃｏｍ）、第１の制御線９１（Ｓ１）、第２の制御線９２（Ｓ２）が設けられており、それぞれの配線は画素４０と接続されている。共通電源変調回路６４は、コントローラー６３の制御に従って上記配線のそれぞれに供給する各種信号を生成する一方、これら各配線の電気的な接続及び切断（ハイインピーダンス化、Ｈｉ−Ｚ）を行う。
【００４８】
１．２．画素部分の回路構成
図２は、図１の画素４０の回路構成図である。
【００４９】
画素４０には、駆動用ＴＦＴ（Thin Film Transistor）４１と、ラッチ回路７０と、スイッチ回路８０が設けられている。画素４０は、ラッチ回路７０により画像信号を電位として保持するＳＲＡＭ（Static Random Access Memory）方式の構成をとる。なお、図１と同じ配線には同じ番号を付しており、説明は省略する。また、全画素に共通の共通電極配線５５については記載を省略している。
【００５０】
駆動用ＴＦＴ４１は、Ｎ−ＭＯＳトランジスタからなる画素スイッチング素子である。駆動用ＴＦＴ４１のゲート端子は走査線６６に接続され、ソース端子はデータ線６８に接続され、ドレイン端子はラッチ回路７０のデータ入力端子に接続されている。ラッチ回路７０は転送インバーター７０ｔと帰還インバーター７０ｆとを備えている。インバーター７０ｔ、７０ｆには、低電位電源線４９（Ｖｓｓ）と高電位電源線５０（Ｖｄｄ）から電源電圧が供給される。
【００５１】
スイッチ回路８０は、トランスミッションゲートＴＧ１、ＴＧ２からなり、ラッチ回路７０に記憶された画素データのレベルに応じて、画素電極３５（図３（Ｂ）、図３（Ｃ）参照）に信号を出力する。図２のＶａは、１つの画素４０の画素電極へ供給される電位（信号）を意味する。ここで、本実施形態では、アクティブマトリックス駆動方式の電気泳動表示装置１００を用いるため、電気泳動表示装置１００の駆動電極は画素電極である。よって、画素電極という名称を用いて説明する。なお、駆動電極は画素電極ではなく、セグメント電極であってもよい。
【００５２】
ラッチ回路７０に画像データ「１」（ハイレベルの画像信号）が記憶されて、トランスミッションゲートＴＧ１がオン状態となると、スイッチ回路８０はＶａとして電位Ｓ１を供給する。一方、ラッチ回路７０に画像データ「０」（ローレベルの画像信号）が記憶されて、トランスミッションゲートＴＧ２がオン状態となると、スイッチ回路８０はＶａとして電位Ｓ２を供給する。このような回路構成により、制御部６はそれぞれの画素４０の画素電極に対して供給する電位（信号）を制御することが可能である。なお、画素４０の回路構成は一例であり、図２に示すものに限られない。
【００５３】
１．３．表示方式
本実施形態の電気泳動表示装置１００は、二粒子系マイクロカプセル型の電気泳動方式であるとする。分散液は無色透明、泳動粒子は白色又は黒色であるとすると、電気泳動表示装置１００は、白色又は黒色の２色を基本色として少なくとも２色を表示可能である。本実施形態では、電気泳動表示装置が表示可能な第１色は黒であるとして、第２色は白であるとして説明する。そして、以下において、黒を表示している画素を白で表示すること、又は白を表示している画素を黒で表示することを反転と表現する。
【００５４】
図３（Ａ）は、本実施形態の電気泳動素子３２の構成を示す図である。電気泳動素子３２は素子基板３０と対向基板３１（図３（Ｂ）、図３（Ｃ）参照）との間に挟まれている。電気泳動素子３２は、複数のマイクロカプセル２０を配列して構成される。マイクロカプセル２０は、例えば無色透明な分散液と、複数の白色粒子（電気泳動粒子）２７と、複数の黒色粒子（電気泳動粒子）２６とを封入している。本実施形態では、例えば白色粒子２７は負に帯電しており、黒色粒子２６は正に帯電しているとする。
【００５５】
図３（Ｂ）は、電気泳動表示装置１００の表示部５の部分断面図である。素子基板３０と対向基板３１は、マイクロカプセル２０を配列してなる電気泳動素子３２を狭持している。表示部５は、素子基板３０の電気泳動素子３２側に、複数の画素電極３５が形成された駆動電極層３５０を含む。図３（Ｂ）では、画素電極３５として画素電極３５Ａと画素電極３５Ｂが示されている。画素電極３５により、画素ごとに電位を供給することが可能である（例えば、Ｖａ、Ｖｂ）。ここで、画素電極３５Ａを有する画素を画素４０Ａとし、画素電極３５Ｂを有する画素を画素４０Ｂとする。画素４０Ａ、画素４０Ｂは画素４０（図１、図２参照）のうちの２つの画素である。
【００５６】
一方、対向基板３１は透明基板であり、表示部５において対向基板３１側に画像表示がなされる。表示部５は、対向基板３１の電気泳動素子３２側に、平面形状の共通電極３７が形成された共通電極層３７０を含む。なお、共通電極３７は透明電極である。共通電極３７は、画素電極３５と異なり全画素に共通の電極であり、電位Ｖｃｏｍが供給される。
【００５７】
共通電極層３７０と駆動電極層３５０との間に設けられた電気泳動表示層３６０に電気泳動素子３２が配置されており、電気泳動表示層３６０が表示領域となる。共通電極３７と画素電極（例えば、３５Ａ、３５Ｂ）との間の電位差に応じて、画素毎に所望の表示色を表示させることができる。
【００５８】
図３（Ｂ）では、共通電極側電位Ｖｃｏｍが画素４０Ａの画素電極の電位Ｖａよりも高電位である。このとき、負に帯電した白色粒子２７が共通電極３７側に引き寄せられ、正に帯電した黒色粒子２６が画素電極３５Ａ側に引き寄せられるため、画素４０Ａは白を表示していると視認される。
【００５９】
図３（Ｃ）では、共通電極側電位Ｖｃｏｍが画素４０Ａの画素電極の電位Ｖａよりも低電位である。このときは逆に、正に帯電した黒色粒子２６が共通電極３７側に引き寄せられ、負に帯電した白色粒子２７が画素電極３５Ａ側に引き寄せられるため、画素４０Ａは黒を表示していると視認される。なお、図３（Ｃ）の構成は図３（Ｂ）と同様である。
【００６０】
１．４．書き込みパルス
１．４．１．全面書き換え時
図４（Ａ）は、本実施形態における全面書き換え時の波形図を示す。Ｓ１、Ｓ２は共通電源変調回路６４からの信号である（図１参照）。Ｖａ、Ｖｂはそれぞれ画素電極３５Ａ、画素電極３５Ｂに供給される信号である（図３（Ｂ）参照）。画素４０Ａと画素４０Ｂの回路構成も図２と同じであり、それぞれのラッチ回路に保持された画像データに応じて、Ｖａ、ＶｂとしてＳ１またはＳ２を出力する。Ｖｃｏｍは共通電源変調回路６４から共通電極３７に供給される信号である（図１、図３（Ｂ）参照）。それぞれの信号Ｖａ、Ｖｂ、Ｖｃｏｍは、ハイレベル（ＶＨ）、ローレベル（ＶＬ）、またはハイインピーダンス状態（Ｈｉ−Ｚ）をとり得るものとする。
【００６１】
区間ｔ１において、Ｖａの電位はＶＬであるため、ＶｃｏｍがＶＨのときに画素４０Ａを構成する電気泳動素子３２において、負に帯電した白色粒子２７が共通電極３７側に引き寄せられる。そして、画素４０Ａは最終的に白色で表示される。なお、図４（Ａ）において区間ｔ１以外ではＶｃｏｍ、ＶａともにＨｉ−Ｚであり、画素４０ＡはＶｃｏｍ、ＶａがＨｉ−Ｚになる前の表示を維持する。
【００６２】
また、区間ｔ１において、Ｖｂの電位はＶＨであるため、ＶｃｏｍがＶＬのときに画素４０Ｂを構成する電気泳動素子３２において、正に帯電した黒色粒子２６が共通電極３７側に引き寄せられる。そして、画素４０Ｂは最終的に黒色で表示される。なお、区間ｔ１以外では画素４０Ｂも表示を維持する。
【００６３】
区間ｔ１においてＶｃｏｍは、ＶＨをＴ１の間続けたのち、ＶＬをＴ２の間続ける信号を繰り返し単位とするパルス信号である。本実施形態ではＴ１とＴ２の時間は等しい。すなわち、Ｖｃｏｍの波形のデューティー比は５０％である。全ての表示領域に書き込みパルスを印加する全面駆動を実施する工程においては、例えば白色を表示する画素と黒色を表示する画素が表示領域に混在しているので、図４（Ａ）に示すようなＶｃｏｍを用いることが好ましい。ここで、書き込みパルスとは、所望の表示をさせるために必要な共通電極３７と画素電極３５との間の電位差を与えるパルスをいい、例えばＶｃｏｍとＶａ、ＶｃｏｍとＶｂの電位差によるパルスをいう。
【００６４】
図４（Ｂ）は、本実施形態における全面書き換え時における表示色の変化の概略を示す図である。図４（Ａ）の波形図に対応している。ここでは、画素４０Ａ（画素Ａ）は黒色から白色へと変化し、画素４０Ｂ（画素Ｂ）は白色から黒色へと変化するものとする。なお、反射率Ｒ１、Ｒ２はそれぞれ本実施形態の電気泳動表示装置１００の黒色、白色に対応する。また、電気泳動表示装置１００は反射率Ｒ１、Ｒ２において電気泳動粒子の移動がなくなる飽和状態になるとする。
【００６５】
図４（Ｂ）の区間ｔ１は図４（Ａ）の区間ｔ１と対応する。画素４０Ａは、ＶｃｏｍがＶＨの間はその電気泳動素子３２において、負に帯電した白色粒子２７が共通電極３７側に引き寄せられるので、表示色が黒色から白色へと徐々に変化していく（ｔ１１）。しかし、ＶｃｏｍがＶＬの間は共通電極３７と画素電極３５Ａとの間に電位差が生じないので表示色を維持する（ｔ１２）。そして、最終的に画素４０Ａは、白色（Ｒ２）へと変化する。なお、区間ｔ１１においてＶｃｏｍはＶＨであり、区間ｔ１２においてＶｃｏｍはＶＬであるとし、区間ｔ１１、ｔ１２の時間はＴ１、Ｔ２に等しいものとする。
【００６６】
一方、画素４０Ｂは、ＶｃｏｍがＶＬの間はその電気泳動素子３２において、正に帯電した黒色粒子２６が共通電極３７側に引き寄せられるので、表示色が白色から黒色へと徐々に変化していく（ｔ１２）。しかし、ＶｃｏｍがＶＨの間は共通電極３７と画素電極３５Ａとの間に電位差が生じないので表示色を維持する（ｔ１１）。そして、最終的に画素４０Ｂは、黒色（Ｒ１）へと変化する。
【００６７】
１．４．２．部分書き換え時
図５（Ａ）は、本実施形態における部分書き換え時の波形図を示す。図５（Ａ）の記号等については、図４（Ａ）と同様であり説明を省略する。
【００６８】
１．４．２．１．逆電位駆動パルス
部分書き換え時は、書き換えを行う表示部の一部のみを描画することで高速化を図る部分駆動が用いられる。このとき、駆動される画素も表示部の一部のみであるため、消費電力を抑えることもできる。
【００６９】
ここで、部分書き換え時には対象となる画素の全てが白色、又は黒色で表示される。例えば、白色を背景色とする場合に、部分駆動で表示を行う場合には駆動対象である画素の全てを黒色で表示し、部分駆動で消去を行う場合には駆動対象である画素の全てを白色で表示する。このとき、図４（Ａ）で示されたＶｃｏｍを用いると、区間ｔ１のうち半分の時間は画素の表示色を維持するだけに用いられることになる。
【００７０】
具体的に述べると、先の例のように部分駆動で消去を行う場合には、駆動対象である画素の全てを黒色から白色へと変化させる。この場合、駆動対象である画素の全ては、図４（Ｂ）の画素４０Ａ（画素Ａ）のように変化することになる。すると区間ｔ１のうち半分の時間は、区間ｔ１２のように表示色に変化のない時間となる。この表示色に変化のない時間を減らすことができれば、部分書き換え時の駆動時間を短縮することが可能である。
【００７１】
そこで、部分書き換え時には図５（Ａ）に示すようなＶｃｏｍを用いる。区間ｔ３において、ＶｃｏｍはＶＨをＴ３の間続けたのち、ＶＬをＴ４の間続ける信号を繰り返し単位とするパルス信号である。ただし、Ｖｃｏｍは、区間ｔ３の最後には例外的にＶＨで終了するものとする。本実施形態ではＴ３とＴ４の時間は同じにはならない。すなわち、Ｖｃｏｍの波形のデューティー比は５０％にはならない。例えば、Ｔ４はＴ３の１％〜１５％程の短い時間であってもよい。また、時間幅がＴ４である狭い幅のパルスを逆電位駆動パルスと表現する。
【００７２】
区間ｔ５においては、Ｖｃｏｍは区間ｔ３におけるＶｃｏｍを反転した信号となる。すなわち、ＶＬをＴ５の間続けたのち、ＶＨをＴ６の間続ける信号を繰り返し単位とするパルス信号である。ただし、Ｖｃｏｍは、区間ｔ５の最後には例外的にＶＬで終了するものとする。ここで、Ｔ５はＴ３と同じ時間であり、Ｔ６はＴ４と同じ時間である。よって、Ｔ６はＴ５の１％〜１５％程の短い時間であってもよい。また、時間幅がＴ６である狭い幅のパルスも逆電位駆動パルスである。
【００７３】
１．４．２．２．波形図の説明
まず、画素４０Ａ（画素Ａ）について説明する。画素４０Ａは区間ｔ３以前には黒色で表示されているものとする。区間ｔ３においてＶａはＶｃｏｍの反転信号であり、ＶａはＶＬもＶＨもとり得る。Ｖａの電位がＶＬであるときＶｃｏｍはＶＨであり、画素４０Ａを構成する電気泳動素子３２において、負に帯電した白色粒子２７が共通電極３７側に引き寄せられる。一方、Ｖａの電位がＶＨであるときＶｃｏｍはＶＬであり（逆電位駆動パルス）、黒色粒子２６が共通電極３７側に引き寄せられる。しかし、ＶａはＶＬの電位をとる比率が高いため（Ｔ３＞Ｔ４）、画素４０Ａは最終的に白色で表示される。なお、本実施形態では、逆電位駆動パルスの幅Ｔ４は非常に短く設定されており、表示上の変化はほとんど生じないものとする。
【００７４】
区間ｔ４においては、Ｖｃｏｍ、ＶａともにＨｉ−Ｚであり、画素４０ＡはＶｃｏｍ、ＶａがＨｉ−Ｚになる前の白色の表示を維持する。
【００７５】
また、区間ｔ５においては、ＶａはＶｃｏｍと同一の信号である。よって、共通電極３７と画素電極３５Ａとの間に電位差が生じないので白色の表示を維持する。
【００７６】
次に、画素４０Ｂ（画素Ｂ）について説明する。画素４０Ａは区間ｔ３以前には白色で表示されているものとする。区間ｔ３においては、ＶｂはＶｃｏｍと同一の信号である。よって、共通電極３７と画素電極３５Ａとの間に電位差が生じないので白色の表示を維持する。
【００７７】
区間ｔ４においては、Ｖｃｏｍ、ＶａともにＨｉ−Ｚであり、画素４０ＢはＶｃｏｍ、ＶｂがＨｉ−Ｚになる前の白色の表示を維持する。
【００７８】
区間ｔ５においてＶｂはＶｃｏｍの反転信号であり、ＶｂはＶＬもＶＨもとり得る。Ｖｂの電位がＶＨであるときＶｃｏｍはＶＬであり、画素４０Ｂを構成する電気泳動素子３２において、黒色粒子２６が共通電極３７側に引き寄せられる。一方、Ｖｂの電位がＶＬであるときＶｃｏｍはＶＨであり（逆電位駆動パルス）、負に帯電した白色粒子２７が共通電極３７側に引き寄せられる。しかし、ＶｂはＶＨの電位をとる比率が高いため（Ｔ５＞Ｔ６）、画素４０Ｂは最終的に黒色で表示される。なお、本実施形態では、逆電位駆動パルスの幅Ｔ６は非常に短く設定されており、表示上の変化はほとんど生じないものとする。
【００７９】
１．４．２．３．表示色の変化の説明
図５（Ｂ）は、本実施形態における部分書き換え時における表示色の変化の概略を示す図である。図５（Ａ）の波形図に対応している。画素４０Ａ（画素Ａ）、画素４０Ｂ（画素Ｂ）の変化は図５（Ａ）の場合と同様であり、図５（Ｂ）の記号等については、図４（Ｂ）と同様であるので説明を省略する。
【００８０】
図５（Ｂ）の区間ｔ３は図５（Ａ）の区間ｔ３と対応する。区間ｔ３において、画素４０Ａについては、Ｖａの電位がＶＬであるとき表示色が黒色から白色へと徐々に変化していく（ｔ３１）。しかし、Ｖａの電位がＶＨであるときには、表示色が黒色側へと変化してしまう（ｔ３２）。この動作を繰り返すと、ｔ３１の区間の時間（Ｔ３に等しい）がｔ３２の時間（Ｔ４に等しい）よりも長いため、最終的に画素４０Ａは白色（Ｒ２）へと変化する。一方、画素４０Ｂについては、ＶｂはＶｃｏｍと同一であり、電位差が生じないので白色を維持する。
【００８１】
図５（Ｂ）の区間ｔ４は図５（Ａ）の区間ｔ４と対応する。区間ｔ４においては、Ｖｃｏｍ、Ｖａ、ＶｂともにＨｉ−Ｚであり、画素４０Ａ、画素４０Ｂは白色を維持する。
【００８２】
図５（Ｂ）の区間ｔ５は図５（Ａ）の区間ｔ５と対応する。区間ｔ５において、画素４０Ｂについては、Ｖｂの電位がＶＨであるとき表示色が白色から黒色へと徐々に変化していく（ｔ５１）。しかし、Ｖｂの電位がＶＬであるときには、表示色が白色側へと変化してしまう（ｔ５２）。この動作を繰り返すと、ｔ５１の区間の時間（Ｔ５に等しい）がｔ５２の時間（Ｔ６に等しい）よりも長いため、最終的に画素４０Ｂは黒色（Ｒ１）へと変化する。一方、画素４０Ａについては、ＶａはＶｃｏｍと同一であり、電位差が生じないので白色を維持する。
【００８３】
１．４．２．４．駆動時間の比較
ここで、画素４０Ａ（画素Ａ）の変化を例として、図４と図５とを比較する。画素４０Ａに対して、黒色から白色への変化（正方向の変化）を生じさせる書き込みパルスの時間幅は、図４（Ｂ）、図５（Ｂ）のそれぞれで、ｔ１１、ｔ３１である。一方、正方向の変化を生じさせない書き込みパルスの時間幅は、ｔ１２、ｔ３２である。なお、ｔ１１とｔ３１は同じ時間であるとする。
【００８４】
すると、ｔ１２がｔ１１と同じ時間幅（１００％）であるのに対し、ｔ３２の時間幅は例えばｔ３１の１％〜１５％である。ｔ１２およびｔ３２は正方向の変化を生じさせない無駄な時間であるから、図５（Ａ）の駆動方法の方が効率がよい。計算上、図５（Ａ）の駆動方法は図４（Ａ）に比べて、約半分の時間で画素４０Ａを黒色から白色へ変化させることが可能である。よって、部分書き換え時に図５（Ａ）に示すようなＶｃｏｍを用いることは駆動効率を向上させる。
【００８５】
また、図５（Ａ）のＳ１とＳ２はＶｃｏｍの正転信号、反転信号に等しく、共通電源変調回路６４（図１参照）で容易に作成することが可能である。そして、反転信号は１つのインバーターで作成できるため、共通電源変調回路６４の規模を増大させることもない。
【００８６】
ここで、逆電位駆動パルスを削除した場合には、計算上、図４の駆動方法のちょうど半分の時間で画素４０Ａを黒色から白色に変化させることが可能である。よって、逆電位駆動パルスは不要とも思える。しかし、いくつかの実験によると、逆電位駆動パルスの存在により応答速度が改善されて、コントラストも向上するとの結果が得られている。これは、電気泳動粒子が逆電位駆動パルスにより攪拌されて、異なる方向に移動する電気泳動粒子（図３（Ａ）の２６および２７）の移動が円滑になるためであると予想される。よって、逆電位駆動パルスを含む図５（Ａ）のようなＶｃｏｍを用いることが好ましい。
【００８７】
１．５．電気泳動表示装置の駆動方法
１．５．１．ＤＣバランス
電気泳動表示装置の駆動方法として、表示部の全体を描画する全面駆動だけでなく、書き換えを行う表示部の一部のみを描画する部分駆動が用いられることがある。電圧を印加する対象の画素数を減らすことで、書き換え時のレスポンスを早め、消費電力を抑えることができる。本実施形態においても、全面駆動と部分駆動の両方が用いられる。
【００８８】
ここで、例えば部分駆動によって表示部の一部のみを部分消去するような場合、消去の対象となった画素の共通電極と画素電極の間では、一定の方向に電圧が印加されることになる。このような場合、この消去の対象となった画素について印加電圧の偏りを相殺する処理が必要となる。もし、一部の画素の電極間に印加電圧の非対称性がある場合、その一部の画素で残像が生じる恐れがある。
【００８９】
しかし、電気泳動表示装置の表示部において変化を視認することができない処理は、その処理の効率のために省略されることがある。そのため、前記のような電気泳動表示装置の長期信頼性についての問題が生じることがあった。そこで、以下に全面書き換え工程、部分書き換え工程も含めてＤＣバランスをとることが可能な、本実施形態に係る電気泳動表示装置１００の駆動方法を説明する。
【００９０】
１．５．２．メインルーチンのフローチャート
図６は、第１実施形態における電気泳動表示装置１００の駆動方法のフローチャートである。
【００９１】
１．５．２．１．全面書き換え工程
本実施形態にかかる電気泳動表示装置１００の駆動方法は、最初に全面書き換え工程Ｓ１を行う。全面書き換え工程Ｓ１では、表示部５の全体を描画する全面駆動が行われる。ここで、表示部５の全体を描画するとは、例えば図１１（Ｂ）のように表示部５の背景や時刻などの表示を含めて全体を表示することをいう。
【００９２】
全面書き換え工程Ｓ１では、続く部分書き換え工程Ｓ２において部分駆動により書き換えが行われる所与の視覚表現を含めて表示部５の全体を描画する。ここで、所与の視覚表現とは、文字、数字、メッセージ、画像、図形、模様、記号等のいずれか、又はこれらの組み合わせである。例えば図１１（Ｂ）では、所与の視覚表現は分桁の一桁目の数字である。図１１（Ｂ）での分桁の一桁目「０」は、続く部分書き換え工程Ｓ２によって書き換えられる（図１１（Ｃ）〜図１１（Ｈ）の領域５１参照）。その書き換えが行われる分桁の一桁目も含めて、全面書き換え工程Ｓ１では、表示部５の全体を描画する。
【００９３】
１．５．２．２．部分書き換え工程
部分書き換え工程Ｓ２は、表示部５の一部である所与の領域内で、部分駆動によって所与の視覚表現の書き換えを行う（図１１（Ｃ）〜図１１（Ｈ）の領域５１参照）。表示部５の所与の領域以外では、全面書き換え工程Ｓ１による表示が維持される。
【００９４】
先の例では、部分書き換え工程Ｓ２は、０〜９の数字を部分駆動によって表示したり、それらの数字を消去したりする。例えば、背景色が白色である場合、表示とは０〜９の数字を黒色で表示することであり、消去とはそれらの数字を白色で表示することである。
【００９５】
このとき、部分書き換え工程Ｓ２は、所与の条件を満たすまで繰り返されてもよい（Ｓ４）。先の例では０〜９がそれぞれ表示されるので、部分書き換え工程Ｓ２が１０回繰り返されることが繰り返し（Ｓ４Ｎ）を解除する条件となる。
【００９６】
１．５．２．３．その他
繰り返し条件判定後に（Ｓ４Ｙ）、電気泳動表示装置１００の表示を終了する命令の有無が判断されてもよい（Ｓ８）。表示を継続する場合には再びＳ１に戻り（Ｓ８Ｎ）、表示を終了する場合にはフローチャートの制御も終了する（Ｓ８Ｙ）。例えば、電子時計に用いられる電気泳動表示装置などでは表示が終了することはなく、再びＳ１〜Ｓ４の工程が繰り返される。
【００９７】
１．５．３．サブルーチンのフローチャート
１．５．３．１．全面書き換え工程について
図７（Ａ）は、全面書き換え工程Ｓ１のサブルーチンを示すフローチャートである。本実施形態では、全面書き換え工程Ｓ１は反転表示工程Ｓ１０、正転表示工程Ｓ１８を含む。
【００９８】
全面書き換え工程Ｓ１は、正転表示工程Ｓ１８によって、部分書き換え工程Ｓ２が書き換えを行うのに必要な表示を行う。つまり、部分書き換え工程Ｓ２が書き換えを行うのは表示部５の一部であるため（図１１（Ｃ）〜図１１（Ｈ）の領域５１参照）、それ以外の領域については、正転表示工程Ｓ１８によって必要な表示を行う（図１１（Ｂ）参照）。このとき、続く最初の部分書き換え工程Ｓ２において、部分駆動により消去される所与の視覚表現を含めて表示部５の全体を描画する。
【００９９】
ここで、正転表示工程Ｓ１８による表示についてもＤＣバランスをとる。そのための手法の１つとして、正転表示工程Ｓ１８よりも前に、表示部５の全体において反転表示を行う反転表示工程Ｓ１０がおこなわれてもよい（図１１（Ａ）参照）。この２つの表示工程Ｓ１０とＳ１８によって、全面書き換え工程Ｓ１においてＤＣバランスがとられる。
【０１００】
１．５．３．２．部分書き換え工程のサブルーチン
図７（Ｂ）は、部分書き換え工程Ｓ２のサブルーチンを示すフローチャートである。本実施形態では、部分書き換え工程Ｓ２は部分書き込み工程Ｓ２０、部分消去工程Ｓ２８を含む。
【０１０１】
部分書き込み工程Ｓ２０は、表示部５の一部に所与の視覚表現を表示する。再び先の例を用いると、部分書き込み工程Ｓ２０では図１１（Ｃ）のように、表示部５の一部の領域５１に部分駆動によって黒色の０の数字（所与の視覚表現）を表示する。
【０１０２】
部分消去工程Ｓ２８は、部分書き込み工程Ｓ２０で書き込まれた所与の視覚表現を消去する。先の例において、部分消去工程Ｓ２８は図１１（Ｄ）のように、部分駆動によって白色で０の数字を表示することで消去を行う。なお、部分消去工程Ｓ２８は、部分書き込み工程Ｓ２０と同一の内容を反転表示することで、部分書き込み工程Ｓ２０との間でＤＣバランスをとっている。
【０１０３】
ここで、部分書き込み工程Ｓ２０は、正転表示工程Ｓ１８に続く最初の部分書き込み工程Ｓ２０であっても省略されることはない。ここで、最初の部分書き込み工程Ｓ２０を他と区別するために以下においては「初回部分書き込み工程Ｓ２０」と表現する。初回部分書き込み工程Ｓ２０は、すなわち繰り返し条件判定（Ｓ４）を経ずに行われる部分書き込み工程Ｓ２０のことである。なお、図６のフローチャートにおいて、表示を継続する場合には再び全面書き換え工程Ｓ１に戻るが（Ｓ８Ｎ）、その全面書き換え工程Ｓ１に続く最初の部分書き込み工程Ｓ２０も初回部分書き込み工程Ｓ２０である。
【０１０４】
先の例では、正転表示工程Ｓ１８は、所与の視覚表現である黒色の０の数字を含めて表示部５全体を描画する。そのため、初回部分書き込み工程Ｓ２０が部分駆動によって黒色の０の数字を表示しても、表示部５の表示に変化はない。しかし、省略することなく初回部分書き込み工程Ｓ２０を行うことで、部分書き換え工程Ｓ２においてＤＣバランスをとることができる。
【０１０５】
図６、図７（Ａ）〜図７（Ｂ）のフローチャートで示される電気泳動表示装置の駆動方法に従うことにより、ＤＣバランスをとることができる。そして、ＤＣバランスをとることで、長期信頼性の高い電気泳動表示装置を提供できる。
【０１０６】
１．６．フローチャートと電気泳動表示装置における表示の対応
次に、この駆動方法と電気泳動表示装置における表示の対応例を示す。以下の説明および図で用いる工程番号（Ｓ１〜Ｓ２８）は図６、図７（Ａ）〜図７（Ｂ）のフローチャートの工程番号に対応する。
【０１０７】
図８は、本実施形態における波形図を示す。図中のＳ１、Ｓ２、Ｖａ、Ｖｂ、Ｖｃｏｍは図４（Ａ）と同様であり説明を省略する。対応工程における工程番号Ｓ１０、Ｓ１８、Ｓ２０、Ｓ２８は、その区間において工程番号に対応した処理が行われていることを示す。また、「ｂａｌａｎｃｅｄ」は矢印で示された２つの工程の処理によってＤＣバランスがとられていることを示す。
【０１０８】
１．６．１．全面書き換え工程の波形図
図８の対応工程がＳ１０と示された区間は、反転表示工程Ｓ１０を行っている。Ｖａの電位はＶＬであり、図４（Ａ）および図４（Ｂ）の説明の通り、画素４０Ａは白色で表示される。一方、Ｖｂの電位はＶＨであり、画素４０Ｂは黒色で表示される。これらの表示は続く正転表示工程Ｓ１８による表示を反転したものであり、反転表示工程Ｓ１０は正転表示工程Ｓ１８とＤＣバランスをとるために行われる工程である。
【０１０９】
図８の対応工程がＳ１８と示された区間は、正転表示工程Ｓ１８を行っている。Ｖａの電位はＶＨであり、画素４０Ａは黒色で表示される。一方、Ｖｂの電位はＶＬであり、画素４０Ｂは白色で表示される。全面書き換え工程Ｓ１では、正転表示工程Ｓ１８とその前に対称的な表示処理を行う反転表示工程Ｓ１０とによって、ＤＣバランスがとられる。
【０１１０】
１．６．２．部分書き換え工程の波形図
図８の対応工程がＳ２０と示された区間は、部分書き込み工程Ｓ２０を行っている。ＶａはＶｃｏｍの反転信号であり、図５（Ａ）および図５（Ｂ）の区間ｔ５についての説明の通り、画素４０Ａは黒色で表示される。ここで、図８の部分書き込み工程Ｓ２０は、全面書き換え工程（Ｓ１０、Ｓ１８）に続く、初回部分書き込み工程Ｓ２０である。画素４０Ａは正転表示工程Ｓ１８によって既に黒色で表示されているが、次の部分消去工程Ｓ２８とＤＣバランスをとるために、初回部分書き込み工程Ｓ２０は省略されることなく行われる。このとき、画素４０Ａの表示色（黒色）に変化がないため、初回部分書き込み工程Ｓ２０がユーザーに意識されることはない。
【０１１１】
一方、ＶｂはＶｃｏｍと同一の信号であり、共通電極３７と画素電極３５Ｂとの間に電位差が生じないので白色の表示色を維持する。
【０１１２】
図８の対応工程がＳ２８と示された区間は、部分消去工程Ｓ２８を行っている。ＶａはＶｃｏｍの反転信号であり、図５（Ａ）および図５（Ｂ）の区間ｔ３についての説明の通り、画素４０Ａは白色で表示、すなわち消去される。
【０１１３】
部分消去工程Ｓ２８における画素４０Ａへの印加電圧は、部分書き込み工程Ｓ２０における印加電圧と大きさが同じであり方向が逆である。言い換えると、部分消去工程Ｓ２８と部分書き込み工程Ｓ２０を合わせると、電極間に印加される電界の時間平均はゼロになる。よって、部分消去工程Ｓ２８と、その前に行われた部分書き込み工程Ｓ２０とでＤＣバランスをとることができる。
【０１１４】
なお、図６の通り、部分書き換え工程Ｓ２は所定の回数まで繰り返し行われる（Ｓ４）。よって、図８では省略されているが、その後に部分書き換え工程Ｓ２、すなわち部分書き込み工程Ｓ２０（初回部分書き込み工程Ｓ２０ではない部分書き込み工程Ｓ２０）と部分消去工程Ｓ２８とが続いて行われてもよい。
【０１１５】
１．６．３．全面書き換え工程の表示例
前記の構成の電気泳動表示装置１００によって、全面書き換え工程Ｓ１が実施される場合の表示部５の表示例などを、図９（Ａ）〜図９（Ｄ）を用いて説明する。図９（Ａ）〜図９（Ｄ）を含めて以下の説明で引用される図においては、表示部５のうち斜線で示された画素は、その画素が黒色で表示されていることを示す。なお、図９（Ａ）〜図９（Ｄ）では、表示部５のうち部分駆動が行われる６画素×６画素の領域を抜き出して表示しており、右図はそれぞれの左図のＹ−Ｙ線に沿った断面図である。断面図における記号の意味は、図３（Ｂ）と同じである。
【０１１６】
全面書き換え工程Ｓ１における反転表示工程Ｓ１０、正転表示工程Ｓ１８の表示例を、それぞれ図９（Ａ）、図９（Ｂ）に示す。図９（Ａ）、図９（Ｂ）では、６画素×６画素の領域を含めて表示部５の全体が全面駆動により描画される。
【０１１７】
図９（Ａ）では、画像Ｐ１（所与の視覚表現）を構成する画素の表示色が反転されて白色で表示されており、その背景色も反転されて黒色で表示されている。画素４０Ａは画像Ｐ１を構成する画素であり、画素４０Ｂはその背景となる画素である。
【０１１８】
断面図（右図）の通り、共通電極３７、画素電極３５Ａ、画素電極３５Ｂにはそれぞれ図８の対応工程がＳ１０の区間におけるＶｃｏｍ、Ｖａ、Ｖｂが供給されている。そして、表示部５のように画素４０Ａは白色を表示し、画素４０Ｂは黒色を表示する。
【０１１９】
図９（Ｂ）では、画像Ｐ１を構成する画素の表示色は黒色であり、その背景色は白色である。断面図の通り、共通電極３７、画素電極３５Ａ、画素電極３５Ｂにはそれぞれ図８の対応工程がＳ１８の区間におけるＶｃｏｍ、Ｖａ、Ｖｂが供給されている。そして、表示部５のように画素４０Ａは黒色を表示し、画素４０Ｂは白色を表示する。
【０１２０】
１．６．４．部分書き換え工程の表示例
部分書き換え工程Ｓ２における部分書き込み工程Ｓ２０、部分消去工程Ｓ２８の表示例を、それぞれ図９（Ｃ）、図９（Ｄ）に示す。図９（Ｃ）、図９（Ｄ）では、６画素×６画素の領域のみが部分駆動により書き換えられる。
【０１２１】
図９（Ｃ）では、画像Ｐ１を構成する画素は黒色で表示され、その背景色は白色のまま維持される。断面図の通り、共通電極３７、画素電極３５Ａ、画素電極３５Ｂにはそれぞれ図８の対応工程がＳ２０の区間におけるＶｃｏｍ、Ｖａ、Ｖｂが供給される。
【０１２２】
ここで、この部分書き込み工程Ｓ２０は、全面書き換え工程Ｓ１に続く、初回部分書き込み工程Ｓ２０である。画素４０Ａについては、共通電極３７と画素電極３５Ａの電位差により黒色で表示されるが（Ｖｃｏｍ反転：ＶＨ主）、既に正転表示工程Ｓ１８により黒色で表示されているため表示上の変化はない。また、画素４０Ｂについては、共通電極３７と画素電極３５Ｂには電位差が生じないため（Ｖｃｏｍ同一）、白色の表示を維持する。よって、初回部分書き込み工程Ｓ２０は表示部５の表示に変化を生じさせない。なお、ＶＨ主とは、Ｖａの電位がＶＨである時間の方が長いことを示す。
【０１２３】
図９（Ｄ）では、画像Ｐ１を構成する画素が白色で表示、すなわち消去され、その背景色は白色のまま維持される。断面図の通り、共通電極３７、画素電極３５Ａ、画素電極３５Ｂにはそれぞれ図８の対応工程がＳ２８の区間におけるＶｃｏｍ、Ｖａ、Ｖｂが供給される。画素４０Ａについては、共通電極３７と画素電極３５Ａの電位差により白色で表示される（Ｖｃｏｍ反転：ＶＬ主）。また、画素４０Ｂについては、共通電極３７と画素電極３５Ｂには電位差が生じないため（Ｖｃｏｍ同一）、白色の表示を維持する。よって、部分消去工程Ｓ２８は６画素ｘ６画素の領域の全てを白色にする。なお、ＶＬ主とは、Ｖａの電位がＶＬである時間の方が長いことを示す。
【０１２４】
この後で、部分書き換え工程Ｓ２の繰り返しにより、再び部分書き込み工程Ｓ２０と部分消去工程Ｓ２８が行われてもよい。このとき、部分書き込み工程Ｓ２０は、もはや初回部分書き込み工程Ｓ２０ではなく６画素×６画素の領域において所与の視覚表現の書き込みを行い、表示部５の表示を変化させる。なお、部分消去工程Ｓ２８については、先の説明と同様である。
【０１２５】
以上のように、本実施形態の電気泳動表示装置１００は、図６、図７（Ａ）〜図７（Ｂ）のフローチャートで示される電気泳動表示装置の駆動方法に従うことで、部分駆動を用いて表示書き換えの高速化および低消費電力化を図りながら、ＤＣバランスをとることが可能である。ＤＣバランスをとることで長期信頼性に優れた電気泳動表示装置を提供できる。
【０１２６】
２．具体的な実施形態
２．１．具体例１（時刻表示）
本実施形態の具体例について図１０〜図１２を参照して説明する。
【０１２７】
この具体例では、以下に述べる駆動方法に従って、電気泳動表示装置１００の表示部５は時刻表示を行う。時刻表示は時桁と分桁を含み、分桁の一桁目において部分駆動が行われ、他は全面駆動で書き換えがおこなわれるものとする（図１１（Ａ）〜図１１（Ｊ）参照）。なお、部分駆動の対象領域は分桁の一桁目に限らず、例えば分桁の十桁目も含めてもよいし、時刻表示全体を領域５１としてもよい。また、電気泳動表示装置１００は例えば計時部を含んでおり、計時部からの時刻情報に基づいた画像信号を制御部６が受け取り、表示部５に時刻表示を行ってもよい。
【０１２８】
図１０は、部分書き換え工程Ｓ２のサブルーチンを示すフローチャートである。この具体例の部分書き換え工程Ｓ２は、第１実施形態と同じＳ２０、Ｓ２８、に加えて分桁の更新タイミングを判断する工程Ｓ２６を含む。なお、メインルーチンは図６に従う。
【０１２９】
時刻表示を行う場合、約１分の間、部分書き込み工程Ｓ２０で書き込まれた内容が表示され続ける必要がある。そのため、分桁が更新される直前のタイミングで部分消去工程Ｓ２８が行われる。例えば、図１１（Ｅ）に示すように１０時１１分００秒のタイミングで、表示部５が「１０：１１」を表示することを求められる。よって、分桁の一桁の消去工程（部分消去工程Ｓ２８）は、直前の、例えば１０時１０分５９秒のタイミングで行う必要がある（図１１（Ｄ）参照）。工程Ｓ２６は、このような部分消去工程Ｓ２８を行うタイミングを与える。すなわち、分桁の更新がある場合は部分消去工程Ｓ２８に進むが（Ｓ２６Ｙ）、それまでは待機する（Ｓ２６Ｎ）。
【０１３０】
図１１（Ａ）〜図１１（Ｊ）は本具体例に係る電気泳動表示装置の表示部５の表示例を示す。図１１（Ａ）〜図１１（Ｊ）では表示部５のうち時刻表示部分のみを抜き出している。また、領域５１は部分駆動が行われる領域を示し、領域５１以外の領域は全面駆動により書き換えが行われるものとする。本実施形態では、領域５１は時刻表示の分桁の一桁目に対応する。なお、図１１（Ａ）〜図１１（Ｊ）に付された工程番号は図６、図７（Ａ）、図１０のフローチャートの工程番号に対応する。
【０１３１】
図１１（Ａ）では、反転表示工程Ｓ１０が行われ、全面駆動により表示部５の全面で反転表示が行われている。続く図１１（Ｂ）とＤＣバランスをとるためである。反転表示工程Ｓ１０は、時刻が１０時１０分００秒になるタイミングで表示されるように行われる。なお、以下において、表示までのタイムラグは理想的にゼロであるとして、１０時１０分００秒のタイミングで反転表示工程Ｓ１０を行う、との表現を用いる。
【０１３２】
図１１（Ｂ）では、正転表示工程Ｓ１８が行われ、時刻（１０：１０）が表示されている。続く部分書き換え工程Ｓ２は領域５１（分桁の一桁）のみを書き換えれば、１０時１９分まで時刻の更新が可能である。
【０１３３】
図１１（Ｃ）では、部分書き込み工程Ｓ２０が行われ、領域５１に分一桁として０が表示される。この工程は、初回部分書き込み工程Ｓ２０であり、表示部５において表示に変化は生じない。
【０１３４】
図１１（Ｄ）では、時刻が１０時１１分００秒に変化する前（例えば、１０時１０分５９秒）に、部分消去工程Ｓ２８が行われ、領域５１に黒色で表示されていた０が消去される。
【０１３５】
図１１（Ｅ）では、１０時１１分００秒のタイミングで部分書き込み工程Ｓ２０が行われ、領域５１に分一桁として１が表示される。この工程は、初回部分書き込み工程Ｓ２０とは異なり、表示部５において分桁の表示が変化する。
【０１３６】
図１１（Ｆ）では、時刻が１０時１２分００秒に変化する前（例えば、１０時１１分５９秒）に、部分消去工程Ｓ２８が行われ、領域５１に黒色で表示されていた１が消去される。
【０１３７】
その後、分桁の一桁目が２、３、４、…と変化し、９になるまで図１１（Ｅ）〜図１１（Ｆ）と同じ工程が繰り返される。このことは、図６のＳ４において、所与の条件が１０回部分書き換え工程Ｓ２を繰り返すことである場合に対応する。
【０１３８】
なお、図１１（Ｇ）〜図１１（Ｈ）は、それぞれ図１１（Ｅ）〜図１１（Ｆ）で分桁の一桁目が９になった場合であるので説明は省略する。
【０１３９】
図１１（Ｉ）では、１０時２０分００秒のタイミングで反転表示工程Ｓ１０が行われ、全面駆動により表示部５の全面で反転表示が行われている。続く図１１（Ｊ）とＤＣバランスをとるためである。なお、１０分経過したために、分桁の十桁目は１から２に変化する。
【０１４０】
図１１（Ｊ）では、正転表示工程Ｓ１８が行われ、時刻（１０：２０）が表示されている。図では省略されているが、その後に図１１（Ｃ）に対応する初回部分書き込み工程Ｓ２０が行われて、以下同様の手順で時刻表示が継続される。
【０１４１】
なお、図１１（Ａ）〜図１１（Ｊ）の表示例においては、図１１（Ａ）と図１１（Ｂ）、図１１（Ｃ）と図１１（Ｄ）、図１１（Ｅ）と図１１（Ｆ）、図１１（Ｇ）と図１１（Ｈ）、図１１（Ｉ）と図１１（Ｊ）のペアでそれぞれＤＣバランスがとられている。
【０１４２】
ここで、初回部分書き込み工程Ｓ２０（図１１（Ｃ））とその他の部分書き込み工程Ｓ２０（図１１（Ｅ）、図１１（Ｇ））とでは、書き込みを行うタイミングの自由度に差がある。正確な時刻表示のために、初回部分書き込み工程Ｓ２０以外の部分書き込み工程Ｓ２０は、分桁が更新されるタイミングでおこなわれる。つまり、図１１（Ｅ）、図１１（Ｇ）のように１０時１１分００秒、１０時１９分００秒のタイミングで行われる。
【０１４３】
一方、初回部分書き込み工程Ｓ２０では、正転表示工程Ｓ１８によって必要な時刻表示が行われており、初回部分書き込み工程Ｓ２０による分一桁「０」の表示は視認されることはない。よって、初回部分書き込み工程Ｓ２０は、正転表示工程Ｓ１８（図１１（Ｂ））の後であって、続く部分消去工程Ｓ２８（図１１（Ｄ））の前のいずれかのタイミングで行われればよい。図１１（Ｃ）の初回部分書き込み工程Ｓ２０は、例えば１０時１０分０２秒〜１０時１０分５８秒の間の任意のタイミングで行われればよく、書き込みを行うタイミングの自由度が高い。
【０１４４】
例えば、制御部６（図１参照）は、全面書き換え工程Ｓ１と部分書き換え工程Ｓ２とで書き込みパルスや領域を変更するために、全面書き換え工程Ｓ１から部分書き換え工程Ｓ２へと移行するのに時間がかかる場合がある。しかし、本実施形態によれば、初回部分書き込み工程Ｓ２０は書き込みを行うタイミングの自由度が高いため、例えば前記制御部６の移行に要する時間を待って初回部分書き込み工程Ｓ２０が行われてもよい。すなわち、初回部分書き込み工程Ｓ２０があることは、制御部６に何ら負担をかけるものではない。
【０１４５】
図１２（Ａ）〜図１２（Ｊ）は、従来例の表示部５への時刻表示を示す。図１２（Ａ）〜図１２（Ｊ）のそれぞれは、図１１（Ａ）〜図１１（Ｊ）のそれぞれに対応し、説明は省略する。
【０１４６】
ここで、従来例では図１１（Ｃ）に対応する図１２（Ｃ）の工程がない。正転表示工程Ｓ１８（図１２（Ｂ））によって、既に「１０：１０」の表示が行われているために、工程数を削減して制御を簡略にする目的で省略が行われていたためである。しかし、電気泳動表示装置１００が長年使用されると、図１２（Ｄ）の部分消去工程Ｓ２８に対応する工程がないために部分駆動対象の画素（ここでは、分一桁の０を構成する画素）の印加電圧に偏りが生じ、これらの画素の駆動特性が変化し、表示部５に残像が生じる恐れがある。
【０１４７】
本実施形態の電気泳動表示装置１００は、図６、図７（Ａ）、図１０のフローチャートで示される電気泳動表示装置の駆動方法に従うことで、部分駆動を用いて表示書き換えの高速化および低消費電力化を図りながら、ＤＣバランスをとることが可能である。ＤＣバランスをとることで長期信頼性に優れた電気泳動表示装置を提供できる。
【０１４８】
また、前記のように、図１１（Ｃ）に対応する初回部分書き込み工程Ｓ２０を追加したとしても、その書き込みタイミングの自由度が高いことから、従来例と比べても制御部等に何ら負担をかけるものではない。
【０１４９】
２．２．具体例２（割り込み処理）
本実施形態の別の具体例について図１３〜図１４を参照して説明する。
【０１５０】
この具体例では、以下に述べる駆動方法に従って、割り込み処理を受け付け、電気泳動表示装置１００の表示部５に時刻表示を行う。
【０１５１】
図１３は、部分書き換え工程Ｓ２のサブルーチンを示すフローチャートである。本具体例の部分書き換え工程Ｓ２は、時刻表示の例と同じ工程Ｓ２０、Ｓ２６、Ｓ２８、に加えて割り込み要求の有無を判定する工程（割り込み要求判定工程）Ｓ２４を含む。
【０１５２】
部分書き込み工程Ｓ２０の後、例えばユーザーからの要求により割り込み処理が行われることがある。例えば、電気泳動表示装置１００を用いた腕時計などにおいて（図１５参照）、ユーザーがボタン操作により、時刻表示以外のアラーム設定画面等の表示を要求することがある。本具体例では、割り込み処理はアラーム設定画面の表示である。
【０１５３】
ここで、割り込み要求判定工程Ｓ２４で有無が判定される割り込み要求とは、表示切り替えを伴う割り込み処理の要求に限ってもよい。表示切り替えとは、部分書き込み工程Ｓ２０で書き込まれた所与の視覚表現をそのまま維持することができない画面の描画処理をいう。割り込み処理の中には、画面表示に対し全く影響を与えない処理がある。例えば、ライトの点灯、消灯の要求やアラーム音の停止の要求等は、表示切り替えを伴わない。また、割り込み処理の中には、部分書き込み工程Ｓ２０で書き込まれた所与の視覚表現には全く影響を与えない描画処理を行うものもある。例えば、表示画面の端部にあるバッテリー残量表示を示すアイコンを部分駆動によって更新する処理の要求等も、表示切り替えを伴わない。処理の効率の面からは、表示切り替えを伴う割り込み処理の要求だけを、割り込み要求判定工程Ｓ２４で判定することが好ましい。なお、本具体例におけるアラーム設定画面の表示（図１４（Ｄ）参照）は、部分書き込み工程Ｓ２０で書き込まれた時刻表示の分桁をそのまま維持することはできないため、表示切り替えを伴う割り込み処理に該当する。以下の説明においては、割り込み処理（又は、割り込み要求）とは、表示切り替えを伴う割り込み処理（又は、表示切り替えを伴う割り込み処理の要求）を指すものとする。
【０１５４】
図１３のフローチャートでは、部分書き込み工程Ｓ２０の後に割り込み要求判定工程Ｓ２４を有し、割り込み要求が無い場合に限り、分桁の更新タイミングを判断する工程Ｓ２６に進む（Ｓ２４Ｎ）。そして、分桁の更新タイミングでない場合には、再び割り込み要求の有無を判断する（Ｓ２６Ｎ）。
【０１５５】
もし、割り込み要求があれば（Ｓ２４Ｙ）、直ちに部分消去工程Ｓ２８を行い、部分書き込み工程Ｓ２０で表示された所与の視覚表現を消去する。仮に、部分消去工程Ｓ２８を経ずに割り込み処理が行われるとすると、部分書き込み工程Ｓ２０に対応する工程がないためＤＣバランスが崩れ、電気泳動表示装置１００の長期信頼性が失われる恐れがある。このように、部分消去工程Ｓ２８を割り込み処理の実行前に挿入することにより、ＤＣバランスが崩れることを防ぐことができる。
【０１５６】
なお、割り込み要求があれば（Ｓ２４Ｙ）、迅速に割り込み処理を行うために直ちに部分消去工程Ｓ２８を行うことが好ましい。しかし、早期の処理を必要としない割り込み要求があった場合には、遅延をもって部分消去工程Ｓ２８を行ってもよい。したがって、ここでの「直ちに」の意味は、工程Ｓ２６を経ることがない、であってもよい。
【０１５７】
その後、部分書き換え工程は終了し（リターン）、要求された割り込み処理が行われる。ここで、図６には、例外処理である割り込み処理を行う工程は記載されていないが、割り込みルーチンに分岐するといった、一般的に行われる手法によって割り込み処理が行われてもよい。割り込みルーチンにおいては、例えばアラーム設定画面等の表示が全面駆動で行われ、反転表示、正転表示がセットで行われることでＤＣバランスがとられてもよい。
【０１５８】
図１４（Ａ）〜図１４（Ｈ）はこの具体例での表示部５の表示例を示す。表示部５や領域５１については、図１１（Ａ）〜図１１（Ｊ）と同じであり説明を省略する。なお、図１４（Ａ）〜図１４（Ｈ）に付された工程番号は図６、図７（Ａ）、図１３のフローチャートの工程番号に対応し、部分書き換え工程Ｓ２で割り込み要求があった場合についてのみ説明する。
【０１５９】
図１４（Ａ）では、部分書き込み工程Ｓ２０が行われ、領域５１に分一桁として８が表示されている。その後、アラーム設定画面の表示を要求する割り込み要求があったものとする。
【０１６０】
図１４（Ｂ）では、要求に応じてアラーム設定画面の表示を行う前に、部分消去工程Ｓ２８が行われ、部分書き込み工程Ｓ２０で表示された「８」を消去している。割り込み要求によって、部分書き込み工程Ｓ２０に対応する部分消去工程Ｓ２８が行われず、ＤＣバランスが崩れることを防ぐためである。
【０１６１】
図１４（Ｃ）では、割り込み処理の中で反転表示が行われていることを示す。この具体例では、割り込み処理では全面駆動が行われるものとし、続く正転表示とＤＣバランスをとるためである。
【０１６２】
図１４（Ｄ）では、割り込み処理の中で正転表示が行われていることを示す。ここでは、この表示により割り込み要求が満たされたものとして、通常の時刻表示に戻る（リターン）。なお、通常の時刻表示に戻った後の図１４（Ｅ）〜図１４（Ｈ）は、それぞれ図１１（Ｇ）〜図１１（Ｊ）と同じであるため、説明は省略する。
【０１６３】
なお、図１４（Ａ）〜図１４（Ｈ）の表示例においては、図１４（Ａ）と図１４（Ｂ）、図１４（Ｃ）と図１４（Ｄ）、図１４（Ｅ）と図１４（Ｆ）、図１４（Ｇ）と図１４（Ｈ）のペアでそれぞれＤＣバランスがとられている。
【０１６４】
この具体例の電気泳動表示装置１００は、図６、図７（Ａ）、図１３のフローチャートで示される電気泳動表示装置の駆動方法に従うことで、部分駆動を用いて表示書き換えの高速化および低消費電力化を図りながら、割り込み処理が要求された場合でも、ＤＣバランスをとることが可能である。ＤＣバランスをとることで長期信頼性に優れた電気泳動表示装置を提供できる。
【０１６５】
３．適用例
本発明の適用例について図１５（Ａ）〜図１５（Ｂ）を参照して説明する。前記の電気泳動表示装置１００は、様々な電子機器に適用され得る。
【０１６６】
例えば、図１５（Ａ）は電子機器の１つである腕時計１０００の正面図である。腕時計１０００は、時計ケース１００２と、時計ケース１００２に連結された一対のバンド１００３とを備える。時計ケース１００２の正面には、電気泳動表示装置１００からなる表示部１００４が設けられ、表示部１００４は時刻表示を含む表示１００５を行っている。時計ケースの側面には、２つの操作ボタン１０１１と１０１２とが設けられている。なお、操作ボタン１０１１、１０１２によって、表示１００５として時刻、カレンダー、アラームなど様々な表示形態が選択されてもよい。
【０１６７】
また、例えば図１５（Ｂ）は電子機器の１つである電子ペーパー１１００の斜視図である。電子ペーパー１１００は可撓性を有し、電気泳動表示装置１００からなる表示領域１１０１と本体１１０２を備える。
【０１６８】
電気泳動表示装置１００を含む電子機器は、ＤＣバランスがとられているために長期信頼性に優れる。
【０１６９】
４．その他
前記の実施形態においては、電気泳動表示装置は、黒粒子および白粒子による白黒二粒子系の電気泳動が行われるものに限られず、青白等の一粒子系の電気泳動を行っても良く、また、白黒以外の組み合わせでも構わない。
【０１７０】
そして、電気泳動表示装置に限らず、メモリー性の表示手段に前記の駆動方法が適用されてもよい。例えば、ＥＣＤ（Electrochromic Display＝エレクトロクロミックディスプレイ）、強誘電性液晶ディスプレイ、コレステリック液晶ディスプレイ等である。
【０１７１】
さらに、前記の適用例では、腕時計に限らず、置き時計、掛け時計、懐中時計などの時計機能を有する機器に広く適用できる。
【０１７２】
これらの例示に限らず、本発明は、実施の形態で説明した構成と実質的に同一の構成（例えば、機能、方法および結果が同一の構成、あるいは目的および効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０１７３】
５…表示部、６…制御部、２０…マイクロカプセル、２６…黒色粒子、２７…白色粒子、３０…素子基板、３１…対向基板、３２…電気泳動素子、３５…画素電極（駆動電極）、３５Ａ…画素電極（駆動電極）、３５Ｂ…画素電極（駆動電極）、３７…共通電極、４０…画素、４０Ａ…画素、４０Ｂ…画素、４１…駆動用ＴＦＴ（Thin Film Transistor）、４９…低電位電源線（Ｖｓｓ）、５０…高電位電源線（Ｖｄｄ）、５１…領域、５５…共通電極配線（Ｖｃｏｍ）、６１…走査線駆動回路、６２…データ線駆動回路、６３…コントローラー、６４…共通電源変調回路、６６…走査線、６８…データ線、７０…ラッチ回路、８０…スイッチ回路、９１…第１のパルス信号線（Ｓ１）、９２…第２のパルス信号線（Ｓ２）、１００…電気泳動表示装置、１６０…記憶部、３５０…駆動電極層、３６０…電気泳動表示層、３７０…共通電極層、１０００…腕時計、１００２…時計ケース、１００３…バンド、１００４…表示部、１００５…表示、１０１１…操作ボタン、１０１２…操作ボタン、１１００…電子ペーパー、１１０１…表示領域、１１０２…本体、Ｐ１…画像
【図１】
2011186183.tif 000003
【図２】
2011186183.tif 000004
【図３】
2011186183.tif 000005
【図４】
2011186183.tif 000006
【図５】
2011186183.tif 000007
【図６】
2011186183.tif 000008
【図７】
2011186183.tif 000009
【図８】
2011186183.tif 000010
【図９】
2011186183.tif 000011
【図１０】
2011186183.tif 000012
【図１１】
2011186183.tif 000013
【図１２】
2011186183.tif 000014
【図１３】
2011186183.tif 000015
【図１４】
2011186183.tif 000016
【図１５】
2011186183.tif 000017